(57)【要約】本発明の運動靴は、着地の衝撃を吸収するソールＳと、足の甲を包むアッパーＵと、アッパー５１を足の甲にフィットさせる締付部材３とを有する。アッパーＵは、着用時に足が上方に出る第１開口１と、舌片で閉じられた第２開口２とを有しており、２つの開口１，２は前後に互いに連なっており、アッパーＵは、足の内側面を覆う内側部７と、足の外側面を覆う外側部８と、内側部７および／または外側部８の一部を形成する伸縮部７１，８１とを備え、第２開口２は足の甲の稜線に沿って前方に行くに従い足の内側に向かって傾いている。
2008047659.tif 000002
【特許請求の範囲】
【請求項１】
着地の衝撃を吸収するソールと、足の甲を包むアッパーと、前記アッパーを足の甲にフィットさせる締付部材とを有し、運動に適した運動靴であって、
前記アッパーは、着用時に脚が上方に出る第１開口と、足の甲を覆う舌片で閉じられた第２開口とを有しており、前記第１および第２開口は、前後に互いに連なっており；
前記アッパーは、
足の内側面を覆う内側部と、
足の外側面を覆う外側部と、
前記内側部および／または外側部の一部を形成し、伸縮し易い伸縮部とを備え、
前記第２開口は足の甲の稜線に沿って足の前方に行くに従い足の内側に向かって傾いている運動靴。
【請求項２】
請求項１において、前記アッパーは、
母趾球の少なくとも内側面を覆う第１保形領域と、
第３趾および第４趾の基節骨の少なくとも一部を覆う第２保形領域と、
前記第１および第２保形領域の間に設けられ、前記第１および第２保形領域よりも変形し易い変形領域とを更に備え、
前記変形領域が前記第２開口に連なっている運動靴。
【請求項３】
請求項２において、前記締付部材の締付力により、前記第１および第２保形領域を互いに接近させることが可能で、
前記舌片を第１開口に向かって引っ張ることで、前記変形領域を形成するメッシュ状の部材が足長方向に伸張し、かつ、足の幅方向に収縮することが可能である運動靴。
【請求項４】
請求項２において、前記舌片の表面の部材および前記変形領域の表面の部材が同じ部材で前後方向に連なって形成されている運動靴。
【請求項５】
請求項２において、前記各保形領域には、前記各保形領域を形成する主部材と、前記各保形領域を保形するための補強材とが設けられ、
前記主部材は前記変形領域から前記第１および第２保形領域にわたって足の幅方向に連なった部材で形成されており、
前記補強材は前記主部材の上に固着されている運動靴。
【請求項６】
請求項２において、前記締付部材の締付力により、前記第１および第２保形領域を互いに接近させることが可能で、
前記変形領域が、前記第２開口の先端から足の前方に行くに従い足の内側に向かって傾いていると共に、母趾の趾節間関節の近傍まで延びている運動靴。
【請求項７】
請求項２において、前記アッパーは、
前記第１保形領域の縁部に設けた第１補強部と、
前記第２保形領域の縁部に設けたループ状の第２補強部とを備え、
前記第１および第２補強部には、それぞれ、前記締付部材であるシューレースを挿通する貫通孔が形成され、
前記シューレースの締付力により、前記第１および第２保形領域を互いに接近させることが可能である運動靴。
【請求項８】
着地の衝撃を吸収するソールと、足の甲を包むアッパーと、前記アッパーを足の甲にフィットさせる締付部材とを有し、運動に適した運動靴であって、
前記アッパーは、着用時に脚が上方に出る第１開口と、足の甲を覆う舌片で閉じられた第２開口とを有しており、前記第１および第２開口は、前後に互いに連なっており；
前記アッパーは、
母趾球の少なくとも内側面を覆う第１保形領域と、
第３趾および第４趾の基節骨の少なくとも一部を覆う第２保形領域と、
前記第１および第２保形領域の間に設けられ、前記第１および第２保形領域よりも変形し易い変形領域とを備え、
前記締付部材の締付力により、前記変形領域が足の幅方向に縮むと共に前記第１および第２保形領域を互いに接近させることが可能で、
前記第２開口は足の甲の稜線に沿って足の前方に行くに従い足の内側に向かって傾いており、
前記変形領域が、前記第２開口に連なり、前記第２開口の先端から足の前方に行くに従い足の内側に向かって傾いていると共に母趾または第２趾の趾節間関節の近傍まで延びている運動靴。
【請求項９】
請求項８において、前記アッパーは前記締付部材であるシューレースを挿通する複数の貫通孔を更に有し、前記複数の貫通孔のうち前記第２保形領域に設けた先端の貫通孔の位置が、前記複数の貫通孔のうちで最も前方に配置されている運動靴。
【請求項１０】
請求項８において、前記アッパーは前記締付部材であるシューレースを挿通する複数の貫通孔を更に有し、前記第２開口の縁に沿って足の内側に並んだ貫通孔の数よりも前記第２開口の縁に沿って足の外側に並んだ貫通孔の数の方が多い運動靴。
【請求項１１】
請求項８において、前記アッパーは前記締付部材であるシューレースを挿通する複数の貫通孔を更に有し、前記複数の貫通孔のうち前記第２保形領域の最先端および先端から２番目の貫通孔に挿通されたシューレースの部分が足の内側の貫通孔に通されることなく前記最先端および先端から２番目の貫通孔に挿通されている運動靴。
【請求項１２】
請求項８において、前記アッパーはシューレースを挿通する複数の貫通孔を更に有し、前記複数の貫通孔のうち前記第１保形領域の先端の貫通孔を形成した部分が、前記舌片に縫着されていない運動靴。
【請求項１３】
請求項８において、前記舌片および前記変形領域の表面の部材が同じ部材で前後方向に連なって形成されている運動靴。
【請求項１４】
請求項８において、前記変形領域および前記第２保形領域は前記変形領域から前記第２保形領域にわたって足の幅方向に連なった主部材で形成されており、
前記第２保形領域には前記第２保形領域を保形するための補強材が設けられ、
前記補強材は前記主部材の上に固着されている運動靴。
【請求項１５】
着地の衝撃を吸収するソールと、足の甲を包むアッパーと、前記アッパーを足の甲にフィットさせる締付部材とを有し、運動に適した運動靴であって、
前記アッパーは、着用時に脚が上方に出る第１開口と、足の甲を覆う舌片で閉じられた第２開口とを有しており、前記第１および第２開口は、前後に互いに連なっており；
前記アッパーは、
母趾の基節骨の少なくとも内側を覆う第１保形領域と、
第３趾および第４趾の基節骨の少なくとも一部を覆う第２保形領域と、
スリット状ないし先窄まりの三角形状で、前記第１および第２保形領域の間において足の前方に向かって延び、前記第１および第２保形領域よりも変形し易い変形領域とを備え、
前記締付部材の締付力により、前記変形領域が足の幅方向に縮むと共に前記第１および第２保形領域を互いに接近させることが可能で、
前記第２開口は足の甲の稜線に沿って足の前方に行くに従い足の内側に向かって傾いており、
前記変形領域が、前記第２開口の先端から足の前方に行くに従い足の内側に向かって傾いていると共に母趾または第２趾の趾節間関節の近傍まで延びている運動靴。
【請求項１６】
着地の衝撃を吸収するソールと、足の甲を包むアッパーと、前記アッパーを足の甲にフィットさせるシューレースとを有し、運動に適した運動靴であって、
前記アッパーは、着用時に脚が上方に出る第１開口と、足の甲を覆う舌片で閉じられた第２開口とを有しており、前記第１および第２開口は、前後に互いに連なっており；
前記アッパーは、
母趾の基節骨の少なくとも内側を覆う第１保形領域と、
第３趾および第４趾の基節骨の少なくとも一部を覆う第２保形領域と、
スリット状ないし先窄まりの三角形状で、前記第１および第２保形領域の間において足の前方に向かって延び、前記第１および第２保形領域よりも変形し易い変形領域とを備え、
前記第１保形領域の縁部に設けたループ状の第１補強部と、
前記第２保形領域の縁部に設けたループ状の第２補強部とを備え、
前記第１および第２補強部には、それぞれ前記シューレースを挿通する貫通孔が設けられ、
前記シューレースの締付力により、前記変形領域が足の幅方向に縮むと共に前記第１および第２保形領域を互いに接近させることが可能である運動靴。
【請求項１７】
請求項１６において、
前記変形領域が前方に行くに従って幅狭の三角形状である運動靴。
【請求項１８】
請求項１６において、
前記変形領域がスリット状である運動靴。
【発明の詳細な説明】
【技術分野】
【０００１】
本発明は、アッパーのフィット性を改良した運動靴に関する。
【背景技術】
【０００２】
下記の特許文献１〜５には、フィット性を向上させるための種々のアッパーが開示されている。
【特許文献１】実開平１−１３９７１０号（第２図）
【特許文献２】ＷＯ２００４／０９３５８７号（要約）
【特許文献３】特開２０００−１５２８０４号（図１〜図３）
【特許文献４】特開２０００−０９３２０４号（要約）
【特許文献５】実開昭６３−１２７４０８号（第３図）
【０００３】
実開平１−１３９７１０号には、前足部の中央に十字状の切欠部を有するアッパーが開示されている。このアッパーの切欠部には、伸縮自在な伸縮部材が縫着されている。
ＷＯ２００４／０９３５８７号には、足の内外において互いに斜向かいとなる位置に伸縮部が設けられたアッパーが開示されている。
しかし、これらの文献には、舌片で覆われたアッパーの開口を足の甲の稜線に沿って設けることは開示されていない。【０００４】
特開２０００−１５２８０４号には、アッパーの開口の中央線を足の長軸に対し傾けた靴が開示されている。
特開２０００−０９３２０４号には、アッパーの開口の中央線をジグザグ状に屈曲させた靴が開示されている。
しかし、これらの文献には、アッパーの足の内側または外側に伸縮部を設けることは開示されていない。【０００５】
実開昭６３−１２７４０８号には、アッパーの開口の中心線が足の長軸よりも内側にずれた位置に設けられた靴が開示されている。
しかし、この靴の開口の中心線は、足の長軸に沿ったものであり、足の甲の稜線に沿ったものではない。また、この文献には、アッパーの足の内側または外側に伸縮部を設けることは開示されていない。
【発明の開示】
【０００６】
本発明の目的は、シューレース等の締付部材でアッパーを締め付ける際に該アッパーを足の甲に十分にフィットさせることができる運動靴を提供することである。
【０００７】
本発明のある態様の運動靴は、着地の衝撃を吸収するソールと、足の甲を包むアッパーと、前記アッパーを足の甲にフィットさせる締付部材とを有し、運動に適した運動靴であって、前記アッパーは、着用時に脚が上方に出る第１開口と、足の甲を覆う舌片で閉じられた第２開口とを有しており、前記第１および第２開口は、前後に互いに連なっており、前記アッパーは、足の内側面を覆う内側部と、足の外側面を覆う外側部と、前記内側部および／または外側部の一部を形成し、伸縮し易い伸縮部とを備え、前記第２開口は足の甲の稜線に沿って足の前方に行くに従い足の内側に向かって傾いている。
【０００８】
本態様では、アッパーの第２開口が足の甲の稜線に沿って設けられている、すなわち、第２開口の中心線が足の長軸に対して傾いており、足の前方に行くに従い第２開口が足の内側に向かうように設けられている。そのため、締付部材による締付時に足の甲の稜線に向かってアッパーの内側部および外側部を引き寄せることが可能になり、着用時におけるアッパーのフィット性が向上する。
【０００９】
なお、本発明において、「足の甲の稜線に沿って」とは、締付時に第２開口の中心線のが足の横断面における最も高い点を連ねた稜線に概ね沿って設けられて、締付部材による締付でアッパーの部材が引き寄せられる方向が該稜線の方向に概ね直交していることをいう。必ずしも足の甲の稜線が第２開口に位置していなくてもよい。甲の稜線は、第１趾、第２趾または両趾の間の部分を通って、足の前方に行くに従い足の内側に向かうように延びており、足の長軸（第２趾末節骨と踵骨の中央とを結ぶ線）に対して傾いている。
【００１０】
一方、運動時の足の形状はシューズ内において変化するため、伸縮しないアッパーをフィットさせて着用した場合、足の変形にアッパーが追従できずにソールが足から離れたり、あるいは、逆にアッパーが足の自然な屈曲や屈伸を阻害してしまう。つまり、運動時におけるアッパーのフィット性が十分でないという問題がある。特に、本態様のように締付部材による十分な締付がなされて足の甲に十分に密着するアッパーにおいては、かかる運動時のフィット性は重要である。かかる点に鑑み、本態様では、足の変形に沿って伸縮する伸縮部を足の少なくとも内側または外側に設けている。これにより、アッパーが運動時の足の変形に追従して変形することを可能にすることで、前記のような弊害を抑制している。
【００１１】
本態様においては、前記アッパーは、母趾球の少なくとも内側面を覆う第１保形領域と、第３趾および第４趾の基節骨を覆う第２保形領域と、前記第１および第２保形領域の間に設けられ、前記第１および第２保形領域よりも変形し易い変形領域とを更に備え、前記変形領域が前記第２開口に連なっているのが好ましい。
【００１２】
このように爪先部において、保形性の高い第１および第２保形領域の間に、変形し易い変形領域を設けることで、アッパーのフィット性を更に向上させることができる。すなわち、足の爪先部において、締付部材による締付により変形領域を変形させることでアッパーの内側および外側の部材を互いに近づけることが可能となる。その結果、第２開口から足の爪先部までの広い範囲にわたってアッパーを締め付けることができるため、爪先部におけるアッパーのフィット性が更に向上する。
【００１３】
この場合、前記締付部材の締付力により、前記第１および第２保形領域を互いに接近させることが可能で、前記舌片を第１開口に向かって引っ張ることで、前記変形領域を形成するメッシュ状の部材が足長方向に伸張し、かつ、足の幅方向に収縮することが可能であるのが更に好ましい。
【００１４】
このようにすれば、締付時に第１および第２保形領域を互いに接近させても、変形領域を形成する部材が足の幅方向に収縮するので、前記変形領域の部材に皺やヨレが生じにくい。したがって、着用時に足の上面に違和感が生じにくい。
【００１５】
また、前記各保形領域には、前記各保形領域を形成する主部材と、前記各保形領域を保形するための補強材とが設けられ、前記主部材は前記変形領域から前記第１および第２保形領域にわたって足の幅方向に連なった部材で形成されており、前記補強材は前記主部材の上に固着されているのが更に好ましい。
【００１６】
このようにすれば、変形領域、第１および第２保形領域が同じ部材で形成されているので、所定の形状のものを容易に作成可能である。すなわち、各領域を別の部材で形成すると、各部材を縫合等により接合して爪先部分のアッパーを形成しなければならない。一方、各領域を同じ部材で連なって形成することで各部材を縫合等により接合する必要がなくなる。なお、両領域に加えて舌片の一部も同じ部材で連なって形成するのが更に好ましい。
【００１７】
なお、本発明において、前記伸縮部は運動時に伸縮可能な部分であり、伸縮し易いストレッチ材で構成されている。
前記変形領域は、一般に、締付時に変形可能な布地等で構成される。
前記補強材は前記保形領域の保形性を維持するために設けられる変形し難い材料である。かかるストレッチ材、布地および補強材は、下記に説明するように、互いに異なる性質を有する材料である。
【００１８】
すなわち、応力と伸びとの関係を示す図１２Ｄに示すように、前記ストレッチ材は、比較的広い荷重の範囲において伸びδと単位幅当たりの荷重Ｗとが比例する材料である。
一方、補強材は、前記ストレッチ材よりもＷ／δ（引張剛性）が極めて大きく、したがって、実用上伸びを殆ど生じることはなく比例限界もストレッチ材よりも大きい素材である。前記変形領域の素材は、たとえば編地や織地で構成されており、素材の形状の変化により、少なくとも１方向に小さな引張荷重下で大きく伸びることができ、この伸びと同時に伸張方向に直交する長さが短くなることができる素材である。
【００１９】
前記布地としては、たとえばメッシュ材のように伸び特性について異方性を有する素材が用いられてもよい。メッシュ材の場合、伸び易い所定の方向については小さな応力下でストレッチ材よりも著しく大きな伸びを生じ、かつ、比例限界がストレッチ材よりも小さい（例えば、図１２Ｄのメッシュ材（足長方向））。
一方、伸び難い所定の方向（例えば、前記伸び易い方向に対して斜めの方向）については前記ストレッチ材よりもＷ／δ（引張剛性）が大きく、比例限界が大きい（例えば、図１２Ｄのメッシュ材（斜め方向））。
ストレッチ材や補強材については、一般に、異方性は殆ど無く、全方向について同様の伸び特性を示す。
【００２０】
本態様においては、前記締付部材の締付力により、前記第１および第２保形領域を互いに接近させることが可能で、前記変形領域が、前記第２開口の先端から足の前方に行くに従い足の内側に向かって傾いていると共に、母趾の趾節間関節の近傍まで延びているのが好ましい。
【００２１】
このようにすれば、変形領域を足の前後方向に小さく形成できるので、締付時に足の幅方向に変形領域の生地がヨレるおそれがない。
【００２２】
本態様においては、前記アッパーは、前記第１保形領域の縁部に設けた第１補強部と、前記第２保形領域の縁部に設けたループ状の第２補強部とを備え、前記第１および第２補強部には、それぞれ、前記締付部材であるシューレースを挿通するハトメ孔が形成され、前記シューレースの締付力により、前記第１および第２保形領域を互いに接近させることが可能であってもよい。
【００２３】
本発明の別のある態様の運動靴は、着地の衝撃を吸収するソールと、足の甲を包むアッパーと、前記アッパーを足の甲にフィットさせる締付部材とを有し、運動に適した運動靴であって、前記アッパーは、着用時に脚が上方に出る第１開口と、足の甲を覆う舌片で閉じられた第２開口とを有しており、前記第１および第２開口は、前後に互いに連なっており、前記アッパーは、母趾球の少なくとも内側面を覆う第１保形領域と、第３趾および第４趾の基節骨を覆う第２保形領域と、前記第１および第２保形領域の間に設けられ、前記第１および第２保形領域よりも変形し易い変形領域とを備え、前記締付部材の締付力により、前記変形領域が足の幅方向に縮むと共に前記第１および第２保形領域を互いに接近させることが可能で、前記第２開口は足の甲の稜線に沿って足の前方に行くに従い足の内側に向かって傾いており、前記変形領域が、前記第２開口に連なり、前記第２開口の先端から足の前方に行くに従い足の内側に向かって傾いていると共に母趾または第２趾の趾節間関節の近傍まで延びている。
【００２４】
本態様では、アッパーの第２開口が足の甲の稜線に沿って設けられている、すなわち、第２開口の中心線が足の長軸に対して傾いて、足の前方に行くに従い足の内側に向かうように設けられている。そのため、締付時に足の甲の稜線に向かってアッパーの内側部および外側部を締付部材によって引き寄せることが可能になり、着用時におけるアッパーのフィット性が向上する。
【００２５】
更に、爪先部において、保形性の高い第１および第２保形領域の間に、変形し易い変形領域を設けることで、アッパーのフィット性を更に向上させることができる。すなわち、足の爪先部においては、締付時に変形領域が変形するため足の内側および外側の保形領域が互いに近づくことが可能となる。したがって、第２開口から足の爪先部までの広い範囲にわたってアッパーを締め付けることができる。その結果、アッパーのフィット性が更に向上する。
【００２６】
また、前記変形領域を前記第２開口と足の長軸に対し同様に傾けて設けることで、変形領域を足の前後方向に小さく形成できるので、足の幅方向に変形領域の生地がヨレるのを軽減し得る。
なお、「変形領域が足の幅方向に縮む」とは、変形領域の素材が収縮したり、あるいは、皺がよったりして、変形領域の足の幅方向の長さが短くなることをいう。
【００２７】
本態様においては、前記アッパーはシューレースを挿通する複数の貫通孔を更に有し、前記第１保形領域の先端の貫通孔を形成した部分が、前記舌片に縫着されていないのが好ましい。
【００２８】
このようにすることで、前記両保形領域が互いに近接した際に、舌片にヨレが生じにくくなる。なお、本発明において、「貫通孔」とは、周縁が補強されたハトメ孔の他、単に素材を穿孔して設けた孔や、筒状の部材により形成されたループを含む。
【００２９】
また、本態様においては、前記変形領域および前記第２保形領域は前記変形領域から前記第２保形領域にわたって足の幅方向に連なった主部材で形成されており、前記第２保形領域には前記第２保形領域を保形するための補強材が設けられ、前記補強材は前記主部材の上に固着されているのが好ましい。
【００３０】
このようにすれば、変形領域および第２保形領域が同じ部材で形成されているので、所定の形状のものを容易に作成可能である。すなわち、各領域を別の部材で形成すると、各部材を縫合等により接合して爪先部分のアッパーの形状を形成しなければならない。
一方、各領域を同じ部材で連なって形成することで各部材を縫合等により接合する必要がなくなる。
なお、両領域に加えて舌片の一部を同じ部材で連なって形成するのが更に好ましい。
【００３１】
本発明においては、前記舌片の表面の部材および前記変形領域の表面の部材が同じ部材で前後方向に連なって形成されているのが好ましい。
【００３２】
このようにすれば、締付時に足の幅方向に縮む変形領域において部材を縫合するラインが生じないので、変形領域の収縮等が阻害されず、変形領域の柔軟性が発揮される。また、足の爪先表面に違和感が生じにくい。
また、舌片の表面とおよび変形領域の表面の部材とが同じ部材で連なって形成されているので、縫合等により部材同士を接合する必要がない。したがって、アッパーの爪先部の所定の形状が容易に得られる。
【００３３】
本発明においては、前記アッパーは前記締付部材であるシューレースを挿通する複数の貫通孔を更に有し、前記第２保形領域に設けた先端の貫通孔の位置が、前記複数の貫通孔のうちで最も前方に配置されているのが好ましい。
また、前記複数の貫通孔については、前記第２開口の縁に沿って足の内側に並んだ貫通孔の数よりも前記第２開口の縁に沿って足の外側に並んだ貫通孔の数の方が多いのが好ましい。
【００３４】
このようにすれば、締付時に広い第２保形領域を足の前方において足の内側に向かって引き寄せることができる。したがって、爪先部において第２保形領域が足にフィットし易くなる。
【００３５】
本発明においては、前記アッパーは前記締付部材であるシューレースを挿通する複数の貫通孔を更に有し、前記第２保形領域の最先端および先端から２番目の貫通孔に挿通されたシューレースの部分が足の内側の貫通孔に通されることなく前記最先端および先端から２番目の貫通孔に挿通されているのが好ましい。すなわち、シューレースは最先端の貫通孔から先端から２番目の貫通孔に連続的に挿通されているのが好ましい。
【００３６】
このようにすれば、締付時に第２保形領域を点ではなく線で足の内側に引き寄せることができる。すなわち、締付時に最先端の貫通孔および先端から２番目の貫通孔に挿通されたシューレースを足の内側に引き寄せることで、最先端の貫通孔および先端から２番目の貫通孔を連続して足の内側に引き寄せることができる。したがって、爪先部において第２保形領域が足にフィットし易くなる。
【図面の簡単な説明】
【００３７】
【図１】本発明の第１実施例にかかる靴と足の骨格との関係を示す平面図である。
【図２】同靴のシューレースを取り外した状態の平面図である。
【図３】同靴の内側部および外側部を開いた状態の平面図である。
【図４】同靴のシューレースを取り外した状態の斜視図である。
【図５】同靴のシューレースを取り外した状態の斜視図である。
【図６】本発明の第２実施例にかかる靴を示す平面図である。
【図７】同靴のシューレースを取り外した状態の平面図である。
【図８】本発明の第３実施例にかかる靴と足の骨格との関係を示す平面図である。
【図９】同靴のシューレースを取り外した状態の平面図である。
【図１０】同靴の内側部および外側部を開いた状態の斜視図である。
【図１１】同靴のシューレースを取り外した状態の斜視図である。
【図１２】図１２Ａはアッパーの舌片、変形領域および保形領域を構成するメッシュ材を展開した展開図、図１２Ｂおよび図１２Ｃはその一部を拡大して示す部分拡大図、図１２Ｄはアッパーの各素材の伸び特性を示す特性図である。
【符号の説明】
【００３８】
Ｓ：ソール
Ｕ：アッパー
１：第１開口
２：第２開口
３：シューレース
Ｔ：舌片
４１：第１保形領域
４１ａ：第１補強部
４２：第２保形領域
４２ａ：第２補強部
５１：変形領域
１２：貫通孔
７：内側部
７１：内側伸縮部
８：外側部
８１：外側伸縮部
Ｏ１：母趾球
Ｂ１：末節骨
Ｂ３：基節骨
Ｂ４：中足骨
Ｊ：趾節間関節
Ｌ：足長方向
ＷＤ：足の幅方向
【発明を実施するための最良の形態】
【００３９】
本発明は、添付の図面を参考にした以下の好適な実施例の説明からより明瞭に理解されるであろう。しかしながら、実施例および図面は単なる図示および説明のためのものである。本発明の範囲は請求の範囲のみに基づいて定められる。添付図面において、複数の図面における同一の部品番号は、同一または相当部分を示す。【００４０】
以下、本発明の実施例を図面にしたがって説明する。
第１実施例：
図１〜図５は第１実施例の靴（右足用）を示す。なお、図２において、伸縮部およびメッシュ材の設けられた位置を分かり易くするために、伸縮部に網かけを施し、メッシュ材が表面に表れた部分にクロスハッチングを施している（後述する図９においても同様）。以下の実施例において、ＩＮは足の内側を示し、ＯＵＴは足の外側を示す。【００４１】
図４に示すように、本実施例の靴は、着地の衝撃を吸収するソールＳと、足の甲を包むアッパーＵとを有する。図１に示すように、このアッパーＵには、ハトメ孔１２ａやループ１２ｂなどの複数の貫通孔１２が設けられている。
これらの貫通孔１２に挿通されたシューレース３（締付部材の一例）を締め上げることで、アッパーＵが足の甲にフィットする。【００４２】
図１に示すように、前記アッパーＵは、着用時に脚が上方に出る第１開口１と、第１開口１の前方に位置し舌片Ｔで閉じられた第２開口２とを有している。前記第１および第２開口１，２は、足長方向Ｌにおいて前後に互いに連なっている。舌片Ｔは足の甲を覆う。
第２開口２の中心線Ｃ２が第１趾から第２趾にかけての足の甲の稜線に沿うように設けられている。すなわち、第２開口２の中心線Ｃ２は、足の前方に行くに従い足の内側ＩＮに向かって傾いており、したがって、足の長軸Ｌ１に対して傾いている。【００４３】
前記アッパーＵは、第２開口２より足の前方において、母趾（第１趾）の基節骨Ｂ３1 の少なくとも内側を覆う第１保形領域４１と、少なくとも第３趾の基節骨Ｂ３3 骨底および第４趾の基節骨Ｂ３4 骨底よりも先の部分を覆う第２保形領域４２と、前記第１および第２保形領域４１，４２の間の変形領域５１を備える。【００４４】
図２に示すように、本質的に伸び難い補強材がループ状に連なって形成された第１補強部４１ａが前記第１保形領域４１の縁部に設けられている。また、本質的に伸び難い補強材がループ状に連なって形成された第２補強部４２ａが前記第２保形領域４２の縁部に設けられている。かかる補強部４１ａ，４２ａを設けることで、前記各保形領域４１，４２は保形性が高められた変形し難い領域となっている。【００４５】
前記変形領域５１は前記各保形領域４１，４２よりも変形し易い領域であり、先窄まりの三角形状に形成されている。変形領域５１は、前記第１および第２保形領域の間において斜め前方に向かって延びている。すなわち、変形領域５１は第２開口２の先端から母趾の趾節間関節Ｊ1 の近傍まで延びている。変形領域５１の中心線Ｃ５は、足の前方に行くに従い足の内側に向かって傾いており、したがって、足の長軸Ｌに対して傾いている。その傾きは前記第２開口２の中心線Ｃ２の足の長軸Ｌ１に対する傾きよりも大きい。【００４６】
また、図２に示すように、前記アッパーＵの両側には、足の内側面を覆う内側部７および足の外側面を覆う外側部８が設けられている。内側部７および外側部８には、それぞれ、運動時に伸縮し易い内側伸縮部７１，外側伸縮部８１が設けられている。【００４７】
本実施例の靴では、前記シューレース３による締付力により、前記変形領域５１が足の幅方向ＷＤに縮むと共に前記第１および第２保形領域４１，４２を互いに接近させることが可能である。これにより、締付時に第２開口２から変形領域５１にわたる広い範囲において、シューレース３による締付力によりアッパーの内側および外側の部材を足の甲の稜線に向かって引き寄せることができる。また、ハトメ孔１２ａが前記補強材の部分に設けられているので、前記両保形領域４１，４２をシューレース３により十分に引っ張ることができる。また、本実施例では、変形領域５１が先端に行くにつれて幅狭の先窄まりに形成されているため、締付時に変形領域５１を形成する生地にヨレが生じ難い。【００４８】
図２に示すように、前記変形領域５１や、前記各保形領域４１，４２や、前記舌片Ｔの表面部分は一体の網目状のメッシュ材で形成されている。前記各補強部４１ａ，４２ａは前記メッシュ材の上に縫合されて設けられており、変形し難い補強材で形成されている。各伸縮部７１，８１はストレッチ材で形成されている。
なお、「表面」は着用時に外から見える部分をいう。【００４９】
図４，図５に明瞭に現れているように、前記メッシュ材と前記補強材と前記ストレッチ材とは素材が大きく異なる。そのため、その伸び特性は図１２Ｄに示すように大きく異なる。各素材の具体的な特性は前述したとおりである。【００５０】
なお、本実施例のメッシュ材は概ね円形の開口を規則的に配列した網目状の形状であり、網目の経緯方向には伸縮し易いが該経緯方向に対して斜めに傾いた方向には伸縮し難い。本実施例では、足長方向に伸び易くなるようにメッシュ材が配置されている。前記補強材としては、たとえば人工皮革のような素材を採用できる。前記伸縮部７１，８１のストレッチ材としては、たとえばＷＯ２００４／０９３５８７（その開示の全てはここに参照して組み込まれる）の伸縮部に用いられている素材を採用することができる。【００５１】
本実施例のメッシュ材は、図２に示すように、舌片Ｔから変形領域５１にかけて連なって設けられている。すなわち、前記舌片Ｔの表面の部材および前記変形領域５１の表面の部材が同じメッシュ材であり、足の前後方向Ｌに連なって形成されている。
更に、本実施例のメッシュ材は、変形領域５１から各保形領域４１，４２にかけて連なって設けられている。すなわち、変形領域５１、保形領域４１および保形領域４２の表面は、変形領域５１から第１および第２保形領域４１，４２にわたって足の幅方向ＷＤに連なったメッシュ材で形成されており、表面がメッシュ材で形成された各保形領域４１、４２の上に各補強材４１ａ、４２ａがそれぞれ縫合されている。【００５２】
このように、本実施例のメッシュ材は、舌片Ｔ、変形領域５１、第１および第２保形領域４１，４２にわたって連なって設けられているため、このメッシュ材を展開した形状は図１２Ａに示すようなものとなる。かかる連続したメッシュ材に第１および第２補強材４１ａ，４２ａ（図２）、所定の裏地材などを縫合して、足長方向Ｌにおいて第２開口２より前方におけるアッパーの部材が形成される。舌片Ｔと変形領域５１とは、表面のメッシュ材以外の構造は異なっていてもよく、たとえば、舌片Ｔの裏側には樹脂スポンジが接合されてもよい。【００５３】
第２実施例：
図６および図７は、第２実施例の靴（右足用）を示す。
図６および図７に示すように、本実施例では、変形領域５１が概ねスリット状に形成されている。そのため、締付時に変形領域５１のほぼ全域が足の幅方向ＷＤに概ね同程度に縮むことができ、変形領域５１を形成する生地にヨレが生じにくくなっている。【００５４】
また、前記第１実施例では、変形領域５１の先端側（足の爪先側）において第１および第２補強部４１ａ，４２ａが互いに一体に連なって略Ｖ字状となっている。
一方、本実施例では、変形領域５１の先端側において第１および第２補強部４１ａ，４２ａが互いに別体に形成されており、互いに離間している。そのため、締付時に変形領域５１が先端側に到るまで足の幅方向ＷＤに縮み易い。また、本実施例では、引き裂き防止のため、変形領域５１の先端部分を円弧状に形成している。【００５５】
第３実施例：
図８〜図１１は第３実施例の靴（右足用）を示す。
図１０、図１１に示すように、本実施例の靴は、着地の衝撃を吸収するソールＳと、足の甲を包むアッパーＵとを有する。図８に示すように、アッパーＵには、ハトメ孔１２ａやループ１２ｂなどの複数の貫通孔１２が設けられており、これらの貫通孔１２に挿通されたシューレース３（締付部材の一例）を締め上げることで、アッパーＵが足の甲にフィットする。【００５６】
図８に示すように、前記アッパーＵは、着用時に脚が上方に出る第１開口１と、第１開口１の前方に位置し舌片Ｔで閉じられた第２開口２とを有している。前記第１および第２開口１，２は、足長方向Ｌにおいて前後に互いに連なっている。舌片Ｔは足の甲を覆うものであり、第２開口２の前端は、概ね、第１趾の基節骨Ｂ３1 ないし第２趾の基節骨Ｂ３2 の位置にあってもよい。前記貫通孔１２は第２開口２の周縁に沿ってアッパーＵに設けられている。【００５７】
第２開口２は、その中心線Ｃ２が第１趾から第２趾にかけての足の甲の稜線に沿うように設けられている。すなわち、第２開口２の中心線Ｃ２は、足の前方に行くに従い足の内側ＩＮに向かって傾いており、したがって、足の長軸Ｌ１に対して傾いている。この中心線Ｃ２は、概ね、第２趾の中足骨Ｂ４2 ないし基節骨Ｂ３2 に沿って位置していてもよい。【００５８】
前記アッパーＵは、第２開口２より足の前方において、母趾球Ｏ１の内側を中心に第１趾の基節骨Ｂ３1 の一部と中足骨Ｂ４1 を覆う第１保形領域４１と、第２趾〜第４趾における基節骨Ｂ３2 〜Ｂ３4 の骨底よりも爪先側の部分を覆う第２保形領域４２と、前記第１および第２保形領域４１，４２の間の変形領域５１を備える。
さらに、第１保形領域４１は、母趾基節骨Ｂ３1 の骨底から母趾末節骨Ｂ１1 の骨体に沿って足の内側を覆っている。【００５９】
図９に示すように、前記第１保形領域４１の変形領域５１側の縁部には、本質的に伸び難い補強材からなる第１補強部４１ａが設けられている。図９に示すように、前記第２保形領域４２の縁部には、本質的に伸び難い補強材がループ状に連なった第２補強部４２ａが設けられている。かかる補強部４１ａ、４２ａを設けることで、前記各保形領域４１，４２は保形性が高められた変形し難い領域となっている。【００６０】
前記変形領域５１は前記各保形領域４１，４２よりも変形し易い領域であり、図８に示すように、前記第１および第２保形領域４１，４２の間において足の斜め前方に向かって延びている。すなわち、変形領域５１は第２開口２の先端から母趾の趾節間関節Ｊ1 を越えて末節骨Ｂ１1 まで延びている。変形領域５１の中心線Ｃ５は、足の前方に行くに従い足の内側に向かって傾いており、したがって、足の長軸Ｌに対し傾いている。その傾きは前記第２開口２の中心線Ｃ２の足の長軸Ｌ１に対する傾きよりも大きい。本実施例の変形領域５１は前記第１および第２実施例に比べて、足の内側寄りに位置すると共に足の幅方向ＷＤに広く設定されている。すなわち、変形領域５１は母趾の趾節間関節Ｊ1 の概ね全部を覆っている。【００６１】
変形領域５１の爪先側の先端は、母趾の末節骨Ｂ１1 の概ね中央に位置する。これより前方の位置、つまり母趾の末節骨Ｂ１1 の先端部は、アッパーの爪先部の周縁に配置された補強材４５により覆われている。これにより、締付時に母趾の先端部が安定して支持されてズレが抑制される。前記補強材４５は母趾の末節骨Ｂ１1 の先端から足の爪先部の周縁に沿って延びており、第４趾や第５趾の末節骨Ｂ１4 ，Ｂ１5 の一部をも覆っている。この補強材４５は前記第１および第２補強部４１ａ，４２ａの一部を構成している。
また、母趾球Ｏ１の内側は第１保形領域４１の第１補強材４１ａにより覆われているのが好ましい。これにより、母指球が足の幅方向ＷＤにズレることが抑制される。【００６２】
なお、本実施例においては、図９に示すように、前記第２開口の縁に沿って足の内側に並んだ貫通孔１２の数よりも前記第２開口の縁に沿って足の外側に並んだ貫通孔１２の数の方が１つ多く設けられている。すなわち、このアッパーでは貫通孔１２の数が足の内側と外側で非対称に設けられている。貫通孔１２は、第１および第２保形領域４１，４２の双方に設けられており、第２保形領域４２に設けた先端の貫通孔１２が、第１保形領域４１に設けた先端の貫通孔１２よりも足の前方に配置されている。【００６３】
第２保形領域４２には２つの貫通穴１２が設けられている。図８に示すように、シューレース３は、この２つの貫通孔１２のうちの足長方向Ｌにおける前側の貫通孔１２に挿通された後、第１保形領域４１に設けられた貫通孔１２に通されることなく、足長方向Ｌにおける後側の貫通孔１２に挿通されている。したがって、締付時には、前記２つの貫通孔の間の部分が前記後側の貫通孔１２から前記前側の貫通孔１２まで連続して足の内側に引っ張られることになる。前記両貫通孔１２に代えて、両貫通孔１２の間の部分に伸びる筒状のループ材を設けて、該ループ材にシューレース３を挿通してもよい。【００６４】
また、図９に示すように前記アッパーＵの両側には、足の内側面を覆う内側部７および足の外側面を覆う外側部８が設けられている。内側部７および外側部８には、それぞれ、運動時に伸縮し易い内側伸縮部７１，外側伸縮部８１が設けられている。内側伸縮部７１は足の踏まず部の内側に設けられていてもよい。外側伸縮部８１は、足の小趾球ないしその近傍を覆うように設けられていてもよい。【００６５】
また、本実施例では、前記第１保形領域４１の先端の貫通孔１２が形成された部分およびその近傍は、前記舌片Ｔに縫着されていない。そのため、図１０のように、第１保形領域４１の前記先端の貫通孔１２の近傍の部分を舌片Ｔや変形領域５１から離して開くことができる。すなわち、第１保形領域４１の先端の貫通孔１２の近傍は舌片Ｔの前部および変形領域５１の変形を殆ど拘束しないように設けられている。そのため、締付時に変形領域５１が足幅方向ＷＤに十分に縮むことができ、アッパーのフィット性が向上する。【００６６】
本実施例の靴では、前記シューレース３による締付力により、前記変形領域５１が足の幅方向ＷＤに縮むと共に前記第１および第２保形領域４１，４２を互いに接近させることが可能である。したがって、着用時にシューレース３を締め付けることで第２開口２から変形領域５１にわたる広い範囲において、アッパーの内側および外側の部材を足の甲の稜線に向かって引き寄せることができる。また、ハトメ孔１２ａが前記補強材の部分に設けられているので、ハトメ孔１２ａを介して前記両保形領域４１，４２をシューレース３により十分に引っ張ることができる。【００６７】
図９に示すように、前記変形領域５１、前記第２保形領域４２および前記舌片Ｔの表面部分は一体の網目状のメッシュ材で形成されている。第１保形領域４１もこのメッシュ材で一体に形成されてもよい。変形し難い補強材で形成された前記各補強部４１ａ，４２ａが前記メッシュ材の上に縫合されて設けられている。各伸縮部７１，８１はストレッチ材で構成されている。前記第１実施例と同様に、前記メッシュ材と前記補強材と前記ストレッチ材とは素材が大きく異なる。【００６８】
なお、本実施例のメッシュ材は、図１２Ｂのような、概ね円形の開口と概ね長円形の開口とを規則的に配列した網目状の形状であり、網目の経緯方向には伸縮し易いが該経緯方向に対して斜めに傾いた方向には伸縮し難い。前記補強材、ストレッチ材は、前記第１実施例と同様の素材を採用できる。【００６９】
本実施例では、足長方向Ｌに伸び易くなるようにメッシュ材が配置されている。かかるメッシュ材を足長方向Ｌに引っ張ると、図１２Ｃのように、メッシュ材の網目の形状が足長方向Ｌに延び足幅方向ＷＤに縮むように変形することで、メッシュ材が足長方向Ｌに伸張すると共に足の幅方向ＷＤに収縮する。したがって、舌片Ｔを第１開口側に向かって引っ張ると変形領域５１が足長方向Ｌに伸長すると共に足幅方向ＷＤに縮む。その結果、変形領域５１に皺やヨレが生じるのを防止できる。【００７０】
本実施例のメッシュ材は、図９に示すように、舌片Ｔから変形領域５１にかけて連なって設けられている。すなわち、前記舌片Ｔの表面の部材および前記変形領域５１の表面の部材は、足長方向Ｌおいて前後に連なって形成されたメッシュ材で形成されている。
更に、本実施例のメッシュ材は、変形領域５１から第２保形領域４２にかけて連なって設けられている。すなわち、変形領域５１および第２保形領域４２の表面は、変形領域５１から第２保形領域４２にわたって足の幅方向ＷＤに連なったメッシュ材で形成されており、前記変形領域５１および第２保形領域４２の上に補強材４２ａが縫合されている。【００７１】
このように、本実施例のメッシュ材は、舌片Ｔ、変形領域５１、第２保形領域４２の表面にわたって連なって設けられている。かかる連続したメッシュ材のうち第２保形領域４２のメッシュ材に第２補強材４２ａを縫合し、変形領域５１および第２保形領域４２のメッシュ材に所定の裏地材などを縫合して、足長方向Ｌにおいて第２開口２より足の前方におけるアッパーの部材が形成される。舌片Ｔと変形領域５１とは表面のメッシュ材以外の構造は異なっていてもよく、たとえば、舌片Ｔの裏側には樹脂スポンジが接合されてもよい。【００７２】
このように表面のメッシュ材を舌片Ｔから変形領域５１にかけて連なって設けることで、変形領域５１のメッシュ材に縫合のラインが生じないから、変形領域５１が柔軟に変形し得る。更に、前述のように第１保形領域４１の先端の貫通孔１２の近傍が舌片Ｔや変形領域の変形を拘束しないように設けられている。したがって、舌片Ｔを第１開口側に向かって引っ張ることで変形領域５１が容易に図１２Ｃのように変形し、足の幅方向ＷＤに収縮することができる。【００７３】
以上のとおり、図面を参照しながら好適な実施例を説明したが、当業者であれば、本明細書を見て、自明な範囲内で種々の変更および修正を容易に想定するであろう。
たとえば、変形領域を先窄まりの三角形状に形成し、かつ、第１保形領域に設けた貫通孔よりも第２保形領域に設けた貫通孔の方が多くなるように第１および第２保形領域に貫通孔を形成し、第２保形領域に設けた先端の貫通孔が第１保形領域に設けた先端の貫通孔よりも足の前方に配置されるようにしてもよい。
また、前記伸縮部は前記実施例の位置に配置するのが好ましいが、必ずしも、かかる位置に限定されるものではない。また、伸縮部が内側または外側の一方にのみ配置されるようにしてもよい。伸縮部の形状は前記実施例のものに限られず種々の形状を採用し得る。
また、メッシュ材の網目の形状は前記実施例のものに限られず種々の形状を採用できる。
したがって、そのような変更および修正は、本発明の範囲のものと解釈される。
【産業上の利用可能性】
【００７４】
本発明は種々の運動靴に利用できる。
【図１】
2008047659.tif 000003
【図２】
2008047659.tif 000004
【図３】
2008047659.tif 000005
【図４】
2008047659.tif 000006
【図５】
2008047659.tif 000007
【図６】
2008047659.tif 000008
【図７】
2008047659.tif 000009
【図８】
2008047659.tif 000010
【図９】
2008047659.tif 000011
【図１０】
2008047659.tif 000012
【図１１】
2008047659.tif 000013
【図１２】
2008047659.tif 000014
【手続補正書】
【提出日】平成21年3月26日(2009.3.26)
【手続補正１】
【補正対象書類名】特許請求の範囲
【補正対象項目名】全文
【補正方法】変更
【補正の内容】
【特許請求の範囲】
【請求項１】
着地の衝撃を吸収するソールと、足の甲を包むアッパーと、前記アッパーを足の甲にフィットさせる締付部材とを有し、運動に適した運動靴であって、
前記アッパーは、着用時に脚が上方に出る第１開口と、足の甲を覆う舌片で閉じられた第２開口とを有しており、前記第１および第２開口は、前後に互いに連なっており；
前記アッパーは、
母趾球の少なくとも内側面を覆う第１保形領域と、
第３趾の基節骨の少なくとも一部を覆う第２保形領域と、
前記第１および第２保形領域の間で、かつ、前記第２開口よりも前方の位置に設けられ、前記第１および第２保形領域よりも変形し易い変形領域とを備え、
前記締付部材の締付力により、前記第１および第２保形領域が互いに接近して、そして、前記変形領域において前記アッパーを形成する主部材が足の幅方向に縮み、
前記第２開口の中心線は足の甲の稜線に沿って足の前方に行くに従い足の内側に向かって傾いており、
前記変形領域が前記第２開口に連なり、前記変形領域の中心線が前記第２開口の先端から足の前方に行くに従い足の内側に向かって傾いていると共に前記変形領域が母趾または第２趾の趾節間関節まで延びている運動靴。
【請求項２】
請求項１において、前記変形領域の中心線の足の長軸に対する傾きは、前記第２開口の中心線の足の長軸に対する傾きよりも大きい運動靴。
【請求項３】
請求項１もしくは２において、
前記舌片を第１開口に向かって引っ張ることで、前記変形領域を形成する主部材が足長方向に伸張し、かつ、足の幅方向に収縮する布地で形成されている運動靴。
【請求項４】
請求項１、２もしくは３において、前記アッパーは前記締付部材であるシューレースを挿通する複数の貫通孔を更に有し、前記第２開口の縁に沿って足の内側に並んだ貫通孔の数よりも前記第２開口の縁に沿って足の外側に並んだ貫通孔の数の方が多い運動靴。
【請求項５】
請求項１、２もしくは３において、前記アッパーは前記締付部材であるシューレースを挿通する複数の貫通孔を更に有し、前記複数の貫通孔のうち前記第２保形領域の最先端および先端から２番目の貫通孔に挿通されたシューレースの部分が足の内側の貫通孔に通されることなく前記最先端および先端から２番目の貫通孔に挿通されている運動靴。
【請求項６】
請求項１、２もしくは３において、前記アッパーは前記締付部材であるシューレースを挿通する複数の貫通孔を更に有し、前記複数の貫通孔のうち前記第１保形領域の先端の貫通孔を形成した部分が、前記舌片に縫着されていない運動靴。
【請求項７】
請求項１から６のいずれか１項において、前記舌片および前記変形領域の表面の部材が同じ部材で前後方向に連なって形成されている運動靴。
【請求項８】
請求項１から７のいずれか１項において、
前記アッパーは、
足の内側面を覆う内側部と、
足の外側面を覆う外側部と、
前記内側部および／または外側部の一部を形成し、伸縮し易い伸縮部とを更に備えた運動靴。
【請求項９】
請求項１から８のいずれか１項において、前記アッパーは、
前記第１保形領域の縁部に設けた第１補強部と、
前記第２保形領域の縁部に設けたループ状の第２補強部とを更に備え、
前記第１および第２補強部には、それぞれ、前記締付部材であるシューレースを挿通する貫通孔が形成されている運動靴。
【請求項１０】
請求項１から８のいずれか１項において前記アッパーは、前記第１保形領域、前記変形領域および前記第２保形領域にわたって足の幅方向に連なった前記主部材と、
前記主部材よりも変形し難く、前記保形領域を保形するための補強材と、
前記補強材の一部が前記第１保形領域の縁部において前記主部材の上に固着された第１補強部と、
前記補強材の別の一部が前記第２保形領域の縁部において前記主部材の上に固着された第２補強部とを備え、
前記変形領域を形成する前記主部材が、前記第１および第２補強部との間において足の幅方向に縮む運動靴。
【国際調査報告】
2008047659.tif 000015
2008047659.tif 000016
2008047659.tif 000017
2008047659.tif 000018